(57)【特許請求の範囲】
【請求項１】
吸入口から吸入した空気を吹出し口に導く空気流路を有する清浄機本体と、前記清浄機本体の空気流路を通して空気を対流するための対流ファン手段と、前記吸入口に取り付けられ、前記吸入口を通して吸入される空気を清浄化するためのフィルタ手段と、空気の汚れ状態を検知するための汚れ検知手段と、前記汚れ検知手段からの汚れ検知信号に基づいて前記対流ファン手段の回転数を制御するための制御手段とを具備する空気清浄機であって、
前記吸入口に関連して、前記吸入口に装着されたフィルタ手段の種類を検知するためのフィルタ検知手段が設けられ、前記制御手段は前記汚れ検知手段の感度を設定する感度設定手段を含み、前記感度設定手段は前記フィルタ検知手段からのフィルタ検知信号に対応する前記汚れ検知手段の感度を設定し、前記制御手段は前記感度設定手段により設定された感度による前記汚れ検出手段の汚れ検知信号に基づいて前記対流ファン手段を回転制御することを特徴とする空気清浄機。
【請求項２】
吸入口から吸入した空気を吹出し口に導く空気流路を有する清浄機本体と、前記清浄機本体の空気流路を通して空気を対流するための対流ファン手段と、前記吸入口に取り付けられ、前記吸入口を通して吸入される空気を清浄化するためのフィルタ手段と、空気の汚れ状態を検知するための汚れ検知手段と、前記汚れ検知手段からの汚れ検知信号に基づいて前記対流ファン手段の回転数を制御するための制御手段とを具備する空気清浄機であって、
前記吸入口に関連して、前記吸入口に装着されたフィルタ手段の種類を検知するためのフィルタ検知手段が設けられ、前記制御手段は前記汚れ検知手段の検知状態を選択するための検知選択手段を含み、前記検知選択手段は前記フィルタ検知手段からのフィルタ検知信号に対応する前記汚れ検知手段の検知状態を選択し、前記制御手段は前記検知選択手段により選択された検知状態でもって前記対流ファン手段を回転制御することを特徴とする空気清浄機。
【請求項３】
前記汚れ検知手段は、空気中の埃を検知する埃検知センサ及び空気中の臭いを検知する臭い検知センサを含み、前記フィルタ手段は、埃を除去するための埃除去フィルタ手段及び臭いを除去するための臭い除去フィルタ手段を含んでおり、
前記フィルタ検知手段が前記埃除去フィルタ手段を検知したとき、前記検知選択手段は前記埃検知センサの検知状態を選択し、前記制御手段は前記埃検知センサからの検知信号に基づいて前記対流ファン手段を回転制御し、前記フィルタ検知手段が前記臭い除去フィルタ手段を検知したとき、前記検知選択手段は前記臭い検知センサの検知状態を選択し、前記制御手段は前記臭い検知センサからの検知信号に基づいて前記対流ファンを回転制御し、また前記フィルタ検知手段が前記埃除去フィルタ手段及び前記臭い除去フィルタ手段を検知したとき、前記検知選択手段は前記埃検知センサ及び前記臭い検知センサの検知状態を選択し、前記制御手段は前記埃検知センサ及び前記臭い検知センサからの検知信号に基づいて前記対流ファン手段を回転制御することを特徴とする請求項２記載の空気清浄機。
【請求項４】
吸入口から吸入した空気を吹出し口に導く空気流路を有する清浄機本体と、前記清浄機本体の空気流路を通して空気を対流するための対流ファン手段と、前記吸入口に取り付けられ、前記吸入口を通して吸入される空気を清浄化するためのフィルタ手段と、を具備する空気清浄機であって、
前記吸入口に関連して、前記吸入口に装着されたフィルタ手段の種類を検知するためのフィルタ検知手段が設けられ、またフィルタ手段の種類を表示するためのフィルタ種類表示手段が設けられ、前記フィルタ種類表示手段は、前記フィルタ検知手段からの検知信号に基づいて、前記吸入口に装着されたフィルタ手段の種類を表示することを特徴とする空気清浄機。
【発明の詳細な説明】
【０００１】
【発明の属する技術分野】
本発明は、周囲の空気を清浄化する空気清浄機に関する。
【０００２】
【従来の技術】
一般に、空気清浄機は直方体状の清浄機本体を備え、この清浄機本体に空気を導く空気流路が設けられている。例えば、清浄機本体の前面に吸入口が設けられ、その上面に吹出し口が設けられ、空気流路は吸入口から吸入された空気を吹出し口に導く。清浄機本体の吸入口にはフィルタ手段が着脱自在に取り付けられる。清浄機本体には対流ファン手段が設けられ、この対流ファン手段のファンが空気流路に配設される。このような空気清浄機では、対流ファン手段が付勢されてファンが所定方向に回転すると、例えば居室空間内の空気が吸入口を通して吸入され、かく吸入された空気がフィルタ手段を通して流れる間に空気が清浄化される。そして、清浄化された空気は空気流路を通して流れ、吹出し口から居室空間に吹き出され、このように対流することによって居室空間内の空気が所要の通りに清浄化される。
【０００３】
空気清浄機に用いるフィルタ手段には各種のものが存在し、例えば、埃の除去する埃除去フィルタ手段と臭いの除去をする臭い除去フィルタ手段とを一体的形態で組み合わせた埃・臭い除去用一体型フィルタ手段、これら埃・臭い除去フィルタ手段を独立の形態で組み合わせた埃・臭い除去用別体型フィルタ手段、例えば花粉症等を緩和するために用いられる高性能の埃除去専用フィルタ手段、住宅建材から発生する揮発性有機溶剤やペットから発生するペット臭を除去するために用いられる高性能の臭い除去専用フィルタ手段等があり、これら各種フィルタ手段が使用目的に応じて空気清浄機の吸入口に選択的に着脱自在に取り付けられる。
【０００４】
【発明が解決しようとする課題】
このように各種フィルタ手段を選択的に装着する空気清浄機では、次の通りの解決すべき問題が存在する。
第１に、高性能の埃除去専用フィルタ手段では空気の通過抵抗が大きく、吸入口を通して吸入される空気の吸入量が少なくなる傾向にあるのに対し、高性能の臭い除去専用フィルタ手段では空気の流入抵抗が小さく、吸入口を通して吸入される空気の吸入量が多くなる傾向にあり、取り付けるフィルタ手段の種類によって、吸入口を通して吸入される空気の吸入量が変化する、換言すると空気を清浄する清浄化能力が変わるという問題がある。
【０００５】
第２に、空気清浄機では、一般に清浄機本体に設けられた汚れ検知手段からの検知信号に基づいて対流ファン手段の回転数を制御する自動運転モードが設定可能になっており、この自動運転モードでは、空気の汚れ度合いが大きいほど対流ファン手段の回転数が大きくなって空気を浄化する浄化能力が高められるように構成されている。このような空気清浄機では、通常、フィルタ手段は埃・臭い除去用フィルタ手段が用いられ、汚れ検知手段は、埃を検知するための埃検知センサと臭いを検知するための臭い検知センサから構成され、埃検知センサ及び臭い検知センサからの検知信号に基づいて対流ファン手段の回転数が制御されるようになっている。ところが、フィルタ手段として、埃・臭い除去用フィルタ手段に代えて、例えば高性能の埃除去専用フィルタ手段（又は臭い除去専用フィルタ手段）を用いた場合、空気中の埃（又は臭い）を高性能に除去することができるが、空気中の臭い（又は埃）を除去することができない。例えばこの埃除去専用フィルタ手段（又は臭い除去専用フィルタ手段）を用いた場合に、臭い検知センサ及び埃検知センサの検知信号に基づいて対流ファン手段の回転数を制御すると、空気中の臭い（又は埃）が大きく、埃（又は臭い）が少なときにも対流ファン手段の回転数が大きくなるが、装着した埃除去専用フィルタ手段（又は臭い除去専用フィルタ手段）によって空気中の臭い（又は埃）を除去することができず、対流ファン手段が無駄に高速回転し、これによって浄化性能に比して運転音が大きくなる問題がある。
【０００６】
第３に、上述した空気清浄機において、臭い除去フィルタ手段（又は埃除去フィルタ手段）と組み合わせて用いられる通常の埃除去フィルタ手段（又は臭い除去フィルタ手段）を用いたときも高性能の埃除去専用フィルタ手段（又は臭い除去専用）を用いたときにも、自動運転モードにおいては同じように対流ファン手段が回転制御され、フィルタ手段が高性能か否かにかかわらず、空気清浄機によって清浄される程度が同じであり、高性能の埃除去専用フィルタ手段を用いた場合、その性能が充分に発揮されないという問題がある。
【０００７】
本発明の第１の目的は、装着したフィルタ手段の種類と汚れ検知手段の検知状態のミスマッチによる対流ファン手段の無駄な高回転を防止することができる空気清浄機を提供することである。
本発明の第２の目的は、装着したフィルタ手段の性能を充分に発揮することができる空気清浄機を提供することである。
【００１０】
【課題を解決するための手段】
本発明は、吸入口から吸入した空気を吹出し口に導く空気流路を有する清浄機本体と、前記清浄機本体の空気流路を通して空気を対流するための対流ファン手段と、前記吸入口に取り付けられ、前記吸入口を通して吸入される空気を清浄化するためのフィルタ手段と、空気の汚れ状態を検知するための汚れ検知手段と、前記汚れ検知手段からの汚れ検知信号に基づいて前記対流ファン手段の回転数を制御するための制御手段とを具備する空気清浄機であって、
前記吸入口に関連して、前記吸入口に装着されたフィルタ手段の種類を検知するためのフィルタ検知手段が設けられ、前記制御手段は前記汚れ検知手段の感度を設定する感度設定手段を含み、前記感度設定手段は前記フィルタ検知手段からのフィルタ検知信号に対応する前記汚れ検知手段の感度を設定し、前記制御手段は前記感度設定手段により設定された感度による前記汚れ検出手段の汚れ検知信号に基づいて前記対流ファン手段を回転制御することを特徴とする。
【００１１】
本発明に従えば、清浄機本体の吸入口に関連して、この吸入口にフィルタ検知手段が設けられ、フィルタ検知手段は吸入口に装着されたフィルタ手段の種類を検知する。また、制御手段は、空気の汚れを検知する汚れ検知手段の感度を設定する感度設定手段を含んでいる。感度設定手段はフィルタ検知手段からのフィルタ検知信号に対応する汚れ検知手段の感度を設定し、制御手段は、この設定された感度による検知信号に基づいて対流ファン手段を回転制御する。例えば高性能の埃除去専用フィルタ手段（又は臭い除去専用フィルタ手段）を用いた場合に、埃除去フィルタ手段と臭い除去フィルタ手段とを組み合わせたフィルタ手段を用いた場合に比して、埃（臭い）の除去に関して高性能であり、このことに関連して、感度設定手段は汚れ検知手段、例えば埃検知センサ（又は臭い検知センサ）を高感度に設定する。従って、高性能の埃除去専用フィルタ手段（臭い除去専用フィルタ手段）を用いた場合、埃と臭いを除去する兼用フィルタ手段を用いた場合に比して、埃（又は臭い）の検出レベルが低くても対流ファン手段の回転数が大きくなり、これによって空気清浄機の埃除去能力（臭い除去能力）が増し、空気中の埃（又は臭い）を効果的に高性能に除去することができる。
【００１２】
また、本発明は、吸入口から吸入した空気を吹出し口に導く空気流路を有する清浄機本体と、前記清浄機本体の空気流路を通して空気を対流するための対流ファン手段と、前記吸入口に取り付けられ、前記吸入口を通して吸入される空気を清浄化するためのフィルタ手段と、空気の汚れ状態を検知するための汚れ検知手段と、前記汚れ検知手段からの汚れ検知信号に基づいて前記対流ファン手段の回転数を制御するための制御手段とを具備する空気清浄機であって、
前記吸入口に関連して、前記吸入口に装着されたフィルタ手段の種類を検知するためのフィルタ検知手段が設けられ、前記制御手段は前記汚れ検知手段の検知状態を選択するための検知選択手段を含み、前記検知選択手段は前記フィルタ検知手段からのフィルタ検知信号に対応する前記汚れ検知手段の検知状態を選択し、前記制御手段は前記検知選択手段により選択された検知状態でもって前記対流ファン手段を回転制御することを特徴とする。
【００１３】
本発明に従えば、清浄機本体の吸入口に関連して、この吸入口にフィルタ検知手段が設けられ、フィルタ検知手段は吸入口に装着されたフィルタ手段の種類を検知する。また、制御手段は、汚れ検知手段の検知状態を選択するための検知選択手段を含んでいる。この検知選択手段は、フィルタ検知手段からのフィルタ検知信号に対応する汚れ検知手段の検知状態を選択し、制御手段は汚れ検知手段の選択された検知状態でもって対流ファン手段を回転制御する。例えば埃除去専用フィルタ手段（又は臭い除去専用フィルタ手段、埃・臭い除去兼用フィルタ手段）を用いた場合、検知選択手段は汚れ検知手段の検知状態を埃検知状態（又は臭い検知状態、埃・臭い検知状態）に選択し、より具体的には埃検知センサ（又は臭い検知センサ、埃検知センサと臭い検知センサ）を利用する状態に選択し、制御手段はかかる埃検知状態（又は臭い検知状態、埃・臭い検知状態）における汚れ検知手段からの検知信号に基づいて対流ファン手段の回転を制御する。このように汚れ検知手段は、清浄機本体に取り付けられたフィルタ手段の種類に対応した検知状態となり、この汚れ検知手段の検知信号に基づいて空気中の汚れを所要の通りに除去することができる。
【００１４】
また、本発明では、前記汚れ検知手段は、空気中の埃を検知する埃検知センサ及び空気中の臭いを検知する臭い検知センサを含み、前記フィルタ手段は、埃を除去するための埃除去フィルタ手段及び臭いを除去するための臭い除去フィルタ手段を含んでおり、
前記フィルタ検知手段が前記埃除去フィルタ手段を検知したとき、前記検知選択手段は前記埃検知センサの検知状態を選択し、前記制御手段は前記埃検知センサからの検知信号に基づいて前記対流ファン手段を回転制御し、前記フィルタ検知手段が前記臭い除去フィルタ手段を検知したとき、前記検知選択手段は前記臭い検知センサの検知状態を選択し、前記制御手段は前記臭い検知センサからの検知信号に基づいて前記対流ファンを回転制御し、また前記フィルタ検知手段が前記埃除去フィルタ手段及び前記臭い除去フィルタ手段を検知したとき、前記検知選択手段は前記埃検知センサ及び前記臭い検知センサの検知状態を選択し、前記制御手段は前記埃検知センサ及び前記臭い検知センサからの検知信号に基づいて前記対流ファン手段を回転制御することを特徴とする。
【００１５】
本発明に従えば、汚れ検知手段は埃検知センサ及び臭い検知センサを含み、これに関連して、フィルタ手段の種類として、埃除去フィルタ手段及び臭い除去フィルタ手段を含んでいる。清浄機本体に例えば埃除去専用フィルタ手段（又は臭い除去専用フィルタ手段、埃・臭い除去兼用フィルタ手段）を装着したとき、検知選択手段は埃検知センサ（又は臭い検知センサ、埃検知センサと臭い検知センサ）による検知状態を選択する。従って、制御手段は埃検知センサ（又は臭い検知センサ、埃検知センサと臭い検知センサ）からの検知信号に基づいて対流ファン手段を回転制御し、汚れ検知手段により検知する汚れをフィルタ手段によって所要の通りに除去することができる。
【００１６】
更に、本発明は、吸入口から吸入した空気を吹出し口に導く空気流路を有する清浄機本体と、前記清浄機本体の空気流路を通して空気を対流するための対流ファン手段と、前記吸入口に取り付けられ、前記吸入口を通して吸入される空気を清浄化するためのフィルタ手段と、を具備する空気清浄機であって、
前記吸入口に関連して、前記吸入口に装着されたフィルタ手段の種類を検知するためのフィルタ検知手段が設けられ、またフィルタ手段の種類を表示するためのフィルタ種類表示手段が設けられ、前記フィルタ種類表示手段は、前記フィルタ検知手段からの検知信号に基づいて、前記吸入口に装着されたフィルタ手段の種類を表示することを特徴とする。
【００１７】
本発明に従えば、清浄機本体の吸入口に関連して、この吸入口にフィルタ検知手段が設けられ、フィルタ検知手段は吸入口に装着されたフィルタ手段の種類を検知する。また、フィルタの種類を表示するフィルタ種類表示手段が設けられ、このフィルタ種類表示手段はフィルタ検知手段からの検知信号に基づいて、清浄機本体に装着されたフィルタの種類を表示する。このように、フィルタ種類表示手段は装着されたフィルタ手段の種類を表示するので、この表示内容を見ることによって、装着されたフィルタ手段の種類を容易に認識することができる。
【００１８】
【発明の実施の形態】
以下、添付図面を参照して、本発明に従う空気清浄機の一実施形態について説明する。図１は、本発明に従う空気清浄機の一実施形態を示す断面図であり、図２は、図１の空気清浄機を一部分解して示す分解断面図であり、図３は、図１の空気清浄機の清浄機本体の一部とこれに装着される各種フィルタ手段とを示す斜視図であり、図４は、特定のフィルタ手段とフィルタ検知手段の検出スイッチとの関係を示す部分断面図であり、図５は、フィルタ検知手段の３個の検出スイッチと各種フィルタ手段との関係を示す図であり、図６は、図１の空気清浄機の操作パネルを示す正面図であり、図７は、図１の空気清浄機の制御系を簡略的に示すブロック図であり、図８は、図７の制御系による制御を示すフローチャートである。
【００１９】
図１及び図２において、図示の空気清浄機は直方体状の清浄機本体２を備え、この清浄機本体２の前面に吸入口４が設けられ、その上面に吹出し口６が設けられている。吸入口４には略矩形状のフィルタ装着部８が設けられ、このフィルタ装着部８に、空気中の汚れを除去するための各種フィルタ手段１０が後述する如く着脱自在に取り付けられる。フィルタ装着部８の底部には複数の突起部１２が設けられ、フィルタ手段１０はこれら突起部１２に当接するように取り付けられ、かく取り付けたフィルタ手段１０を覆うように、吸気ギャラリ１４がフィルタ装着部８に着脱自在に取り付けられる。吸気ギャラリ１４はフィルタ手段１０を保護するためのものであり、上下方向に間隔をおいて複数個のスリット開口１６が設けられている。
【００２０】
清浄機本体２内には仕切りプレート１８，２０，２２が取り付けられ、これら仕切りプレート１８，２０，２２によって空気流路２４が規定され、空気流路２４は吸入口４と吹出し口６とを連通する。この形態では、フィルタ装着部８の底部を規定する仕切りプレート１８の一部には複数の開口２６が設けられ、また吹出し口６には間隔をおいて複数個の安全ガード２８が設けられている。清浄機本体２内には、更に、空気を吸引して吹き出すための対流ファン手段３０が設けられている。対流ファン手段３０は、空気流路２４内に配設された対流ファン３２と、この対流ファン３２を回転駆動するための電動モータ３４とから構成されている。
【００２１】
このように構成されているので、対流ファン手段３０が付勢されると、対流ファン３２が所定方向に回転駆動され、例えば居室空間等の周囲空気は、吸入口４を通して（それに装着された吸気ギャラリ１４のスリット開口１６を通して）吸入され、フィルタ手段１０を通して流れる間に、その中に含まれた汚れ、例えば埃、臭い等が除去される。フィルタ手段１０によって清浄化された空気は、複数の開口２６を通して空気流路２４に流入し、空気流路２４を通して流れた後に吹出し口６から上方に向けて吹き出される。居室空間等の周囲空気はこのように空気清浄機を通して対流循環され、かく循環される間に浄化される。
【００２２】
次に、主として図２とともに図３を参照して、この清浄機本体２に選択的に取り付けられる各種フィルタ手段１０及びそれに関連する構成について説明する。この実施形態では、清浄機本体２のフィルタ装着部８には、例えば、４種類のフィルタ手段１０Ａ，１０Ｂ，１０Ｃ，１０Ｄが選択的に取り付け可能に構成されている。図３において最も左のフィルタ手段１０Ａは、例えば花粉症等を緩和するために用いられる高性能の埃除去専用フィルタ手段であり、フィルタ装着部８に取り付けられる矩形状の枠体４２Ａを備え、この枠体４２Ａに集塵専用のフィルタ部材４４Ａが装着されている。図３において左から２番目のフィルタ手段１０Ｂは、例えば住宅建材から発生する揮発性有機溶剤やペットから発生するペット臭を除去するために用いられる高性能の臭い除去専用フィルタ手段であり、矩形状の枠体４２Ｂを備え、この枠体４２Ｂに脱臭専用のフィルタ部材４４Ｂが装着されている。また、図３において左から３番目のフィルタ手段１０Ｃは、埃除去フィルタ手段５２と臭い除去フィルタ手段５４とが一体的に組み合わされた埃・臭い除去兼用フィルタ手段であり、一体的な矩形状の枠体４２Ｃを備え、この枠体４２Ｃの流入側に埃除去フィルタ手段５２の集塵用フィルタ部材（図示せず）が装着され、その流出側に臭い除去フィルタ手段５４の脱臭用フィルタ部材４４Ｃが装着されている。更に、図３において最も右のフィルタ手段１０Ｄは、埃除去フィルタ手段５６と臭い除去フィルタ手段５８とが別体的に組み合わされる埃・臭い除去兼用フィルタ手段であり、相互に組み合わされる矩形状の枠体４２Ｄ１、４２Ｄ２を備え、流入側に配置される枠体４２Ｄ１に埃除去フィルタ手段５６の集塵用フィルタ部材４４Ｄ１が装着され、流出側に配置される枠体４２Ｄ２に臭い除去フィルタ手段５８の脱臭用フィルタ部材４４Ｄ２が装着される。従って、容易に理解される如く、フィルタ手段１０Ａを用いた場合、空気中の埃を高性能に除去することができ、フィルタ手段１０Ｂを用いた場合、空気中の臭いを高性能に除去することができ、またフィルタ手段１０Ｃ，１０Ｄを用いた場合、空気中の埃及び臭いを除去することができ、使用目的に応じて用いるフィルタ手段１０が選択される。
【００２３】
清浄機本体２のフィルタ装着部８に複数種（この形態では４種類）のフィルタ手段１０が装着することができ、このことに関連して、次の通り構成されている。清浄機本体２の吸入口４に関連して、この実施形態ではフィルタ装着部８の上端部に、装着したフィルタ手段１０の種類を検知するためのフィルタ検知手段６０が設けられている。図示のフィルタ検知手段６０は３個の検出スイッチ、即ち第１の検出スイッチ６２、第２の検出スイッチ６４及び第３の検出スイッチ６６から構成され、これら検出スイッチ６２〜６６は検出片６８を有する機械的スイッチから構成されている（図４も参照）。第１〜第３の検出スイッチ６２〜６６は、清浄機本体２のフィルタ装着部８の底部に横方向（図１、図２及び図４において紙面に垂直な方向、図３において左下から右上の方向）に間隔をおいて配設されている。
【００２４】
一方、フィルタ手段１０Ａにおいては、その枠体４２Ａの上枠部材７２の所定部位（枠体４２Ａの奥行き方向において奥部）に、第３の検出スイッチ６６に対応して凹部７４が設けられている。また、フィルタ手段１０Ｂにおいては、その枠体４２Ｂの上枠部材７６の所定部位（枠体４２Ｂの奥行き方向奥部）に、第１の検出スイッチ６２に対応して凹部７８が設けられている。また、フィルタ手段１０Ｃにおいては、その枠体４２Ｃの上枠部材８０の所定部位（枠体４２Ｃの奥行き方向奥部）に、第２の検出スイッチ６４に対応して凹部８２が設けられている。更に、フィルタ手段１０Ｄにおいては、その枠体４２Ｄ２の上枠部材８４の所定部位（この枠体４２Ｄ２の奥行きは、これと組み合わされる枠体４２Ｄ１の奥行きの約半分程度に形成されている）に、第２の検出スイッチ６４に対応して凹部８６が設けられている。
【００２５】
このように構成されているので、清浄機本体２のフィルタ装着部８に例えばフィルタ手段１０Ａを装着すると、フィルタ検知手段６０の第３の検出スイッチ６６の配置部位においては、図４（ａ）で示すように、その枠体４２Ａの凹部７４が第３の検出スイッチ６６の下方に位置し、この枠体４２Ａの上枠部材７２が第３の検出スイッチ６６の検出片６８を押圧することがなく、第３の検出スイッチ６６はＯＦＦ（開）状態に保持される。これに対して、フィルタ検知手段６０の第１（第２）の検出スイッチ６２（６４）の配置部位においては、図４（ｂ）で示すように、その枠体４２Ａの上枠部材７２が第１（第２）の検出スイッチ６２（６４）の検出片６８に作用してこれを押圧し、第１（第２）の検出スイッチ６２（６４）はＯＮ（閉）状態に保持される。また、フィルタ手段１０Ｂ（又は１０，１０Ｄ）を装着した場合には、凹部７８（又は８２，８６）に対応する第１（又は第２）の検出スイッチ６２（又は６４）がＯＦＦ（開）に保持され、残りの検出スイッチ６４，６６（又は６２，６６）がＯＮ（閉）に保持される。このように各種フィルタ手段１０Ａ〜１０Ｄを装着したときの第１〜第３の検出スイッチ６２〜６６の状態は、図５に示す通りとなり、このような３個の検出スイッチ６２〜６６からなるフィルタ検知手段６０によって、フィルタ装着部８に装着されたフィルタ手段１０の種類を検知識別することができる。
【００２６】
上述したフィルタ検知手段６０によって、次のことも検知することができる。図５に示すように、清浄機本体２のフィルタ装着部８にフィルタ手段１０（フィルタ手段１０Ａ〜１０Ｄのいずれか）が装着されていない、或いはフィルタ手段１０が所要の通りに装着されずに外れている場合、フィルタ手段１０の枠体４２（４２Ａ〜４２Ｄのいずれか）がフィルタ検知手段６０の第１〜第３の検出スイッチ６２〜６６の検出片６８を押圧することがなく、これら検出スイッチ６２〜６６の全てがＯＦＦ（開）状態に保持され、これら３個の検出スイッチ６２〜６６がＯＦＦであることによって、フィルタ手段１０の未装着、外れを検知することができる。
【００２７】
また、フィルタ装着部８にフィルタ手段１０が装着方向が逆に装着されている（吸入側と流出側とが逆に装着されている）場合、図３から容易に理解される通り、フィルタ手段１０の枠体４２（４２Ａ〜４２Ｄのいずれか）の吸入側に凹部が存在せず、この枠体４２がフィルタ検知手段６０の第１〜第３の検出スイッチ６２〜６６の検出片６８を押圧し、これら検出スイッチ６２〜６６の全てがＯＮ（閉）状態に保持され、これら３個の検出スイッチ６２〜６６がＯＮであることによって、フィルタ手段１０の逆装着を検知することができる。
【００２８】
上述した実施形態では、フィルタ検知手段６０をフィルタ装着部８の上部に設けているが、その側部、底部等のフィルタ装着部８の適宜の部位に設けることができる。また、フィルタ検知手段６０を３個の検出スイッチ６２，６４，６６から構成しているが、装着されるフィルタ手段１０が更に多種類である場合、検出スイッチを４個以上設けることによって、多数のフィルタ手段の種類を所要の通り検知することができる。また、図示の実施形態では、フィルタ検知手段６０を機械的スイッチから構成しているが、これに代えて、必要個数の光学的スイッチ、発光素子と受光素子との組み合わせからなるセンサ等から構成することもでき、かかる場合、フィルタ手段１０の枠体４２の所定部位に、凹部又は突部、或いはバーコード等が設けられる。
【００２９】
図１及び図２とともに図６を参照して、清浄機本体２の前面上部に設けられた操作パネル９２について説明すると、この実施形態では、操作パネル９２の右端部に電源スイッチ９４が設けられ、その横方向略中央部に切りタイマスイッチ９６及び風量切換スイッチ９８が設けられている。電源スイッチ９４は電源をＯＮ（閉）、ＯＦＦ（開）するためのスイッチであり、押圧するとＯＮとなり、再度押圧するとＯＦＦになる。切りタイマスイッチ９６は、空気清浄機の作動停止時間を設定するためのスイッチであり、この切りタイマスイッチ９６を押圧する毎に、切りタイマ時間が「１時間」、「２時間」、「４時間」、「切りタイマ解除」に繰り返し設定される。また、風量切換スイッチ９８は、空気清浄機の運転モード及び運転状態を設定するためのスイッチであり、この風量切換スイッチ９８を押圧する毎に、運転モード等が「自動運転モード」、「手動運転モードの弱運転」、「手動運転モードの中運転」、「手動運転モードの強運転」、「手動運転モードの急速運転」に繰り返し設定される。自動運転モードにおいては、空気清浄機は後述するように自動運転される。また、手動運転モードの弱運転（又は中運転、強運転、急速運転）においては、空気清浄機は設定された状態で運転される。この対流ファン手段３０の電動モータ３４の回転数は、後述するように、装着されるフィルタ手段１０の種類に対応して自動的に変更され、変更された回転数で回転される。
【００３０】
操作パネル９２には、更に、フィルタ種類表示手段１００、風量表示手段１０２及び切りタイマ時間表示手段１０４を含む表示手段１０５が設けられている。この形態では、フィルタ種類表示手段１００は３個の表示ランプ１０６，１０８，１１０から構成され、フィルタ装着部８に例えば埃除去専用フィルタ手段１０Ａ（又は臭い除去専用フィルタ手段１０Ｂ、埃・臭い除去兼用フィルタ手段１０Ｃ，１０Ｄ）を装着すると、フィルタ検知手段６０からの検知信号に基づいて表示ランプ１０６（又は１０８，１１０）が点灯し、かくして操作者は点灯している表示ランプ１０６（又は１０８，１１０）から装着されているフィルタ手段１０の種類を容易に認識することができる。風量表示手段１０２は５個の表示ランプ１１２，１１４，１１６，１１８，１２０から構成され、風量切換スイッチ９８によって例えば「自動運転モード」（又は「手動運転モードの弱運転」、「手動運転モードの中運転」、「手動運転モードの強運転」、「手動運転モードの急速運転」）を設定すると、この設定された運転モード及び運転状態に対応する表示ランプ１１２（又は１１４，１１６，１１８，１２０）が点灯する。また、切りタイマ時間表示手段１０４は３個の表示ランプ１２２，１２４，１２６から構成され、切りタイマスイッチ９６によって切りタイマ時間を例えば１時間（又は２時間、４時間）に設定すると、設定時間に対応する表示ランプ１２２（又は１２４，１２６）が点灯する。これら表示ランプ１０６等は例えばＬＥＤから構成される。操作パネル９２には、更に、フィルタ交換表示手段１２８が設けられ、フィルタ装着部８に装着されたフィルタ手段１０が寿命になると、このフィルタ交換表示手段１２８の表示ランプが点灯する。
【００３１】
清浄機本体２には、図１に示すように、居室空間等の周囲空気の汚れを検知するための汚れ検知手段１３０が設けられ、この形態では汚れ検知手段１３０が、埃を検知する埃検知センサ１３２と臭いを検知する臭い検知センサ１３４とから構成されている。
この清浄機本体２には、更に、対流ファン手段３０を作動制御するための制御手段１３６と、フィルタ手段１０を誤装着等したときに警報を発する警報手段１３８（図７）とが設けられている。制御手段１３６は例えばマイクロプロセッサから構成され、操作パネル９２の各種スイッチからの操作信号、フィルタ検知手段６０からの検知信号及び汚れ検知手段１３０からの検知信号が制御手段１３６に送給され、制御手段１３６はこれら操作信号及び検知信号に基づいて対流ファン手段３０を回転制御する。この制御手段１３６は、検知選択手段１３８、回転数補正手段１４０、第１メモリ１４２、第２メモリ１４４及びタイマ手段１４６を含んでいる。
【００３２】
検知選択手段１３８は、フィルタ検知手段６０からの検知信号に基づいて汚れ検知手段１３０の検知状態を選択し、この実施形態では、フィルタ検知手段６０がフィルタ手段１０Ａ（埃除去専用フィルタ手段）を検知したとき、検知選択手段１３８は埃検知センサ１３２を選択し、自動運転モードを設定した場合、制御手段１３６は、後述する如くして埃検知センサ１３２からの検知信号に基づいて対流ファン手段３０を回転制御する。また、フィルタ検知手段６０がフィルタ手段１０Ｂ（臭い除去専用フィルタ手段）｛又はフィルタ手段１０Ｃ，１０Ｄ（埃・臭い除去兼用フィルタ手段）を検知したとき、検知選択手段１３８は臭い検知センサ１３４（又は埃検知センサ１３２及び臭い検知センサ１３４）を選択し、自動運転モードを設定した場合、制御手段１３６は臭い検知センサ１３４（又は埃検知センサ１３２及び臭い検知センサ１３４）の検知信号に基づいて対流ファン手段３０を回転制御する。このように用いたフィルタ手段１０に対応する汚れ検知手段１３０の検知状態を検知選択手段１３８によって設定するので、汚れ検知手段１３０により検知する汚れをフィルタ手段１０によって所要の通り除去することができる。
【００３３】
また、回転数補正手段１４０は、フィルタ装着部８に装着したフィルタ手段１０の種類に対応して対流ファン手段１３０の回転数を補正し、制御手段１３６はこの補正した回転数でもって対流ファン手段３０を回転制御する。この実施形態では、フィルタ検知手段６０がフィルタ手段１０Ｃ，１０Ｄ（埃・臭い除去兼用フィルタ手段）を検知したとき、制御手段１３６は標準の回転数で、即ち弱運転では例えば５４０ｒｐｍで、中運転では例えば７５０ｒｐｍで、強運転では例えば９００ｒｐｍで、また急速運転では例えば１１９０ｒｐｍで対流ファン手段３０を回転制御する。フィルタ検知手段６０がフィルタ手段１０Ａ（埃除去専用フィルタ手段）を検知したとき、このフィルタ手段１０Ａは通気抵抗が大きい故に、回転数補正手段１４０は標準回転数を高速側に補正し、例えば回転数が約２０％上昇するように補正し、制御手段１３６は高速側に補正された回転数で、即ち弱運転では例えば６４８ｒｐｍで、中運転では例えば９００ｒｐｍで、強運転では例えば１０８０ｒｐｍで、また急速運転では例えば１４２８ｒｐｍで対流ファン手段３０を回転制御する。また、フィルタ検知手段６０がフィルタ手段１０Ｂ（臭い除去専用フィルタ手段）を検知したとき、このフィルタ手段１０Ｂは通気抵抗が小さい故に、回転数補正手段１４０は標準回転数を低速側に補正し、例えば回転数が約２０％低下するように補正し、制御手段１３６は低速側に補正された回転数で、即ち弱運転では例えば４３２ｒｐｍで、中運転では例えば６００ｒｐｍで、強運転では例えば７２０ｒｐｍで、また急速運転では例えば９５２ｒｐｍで対流ファン手段３０を回転制御する。このように用いるフィルタ手段１０によって対流ファン手段３０の回転数を補正することによって、フィルタ手段１０の種類に関係なく、その浄化作用をほぼ一定に保つことができる。
【００３４】
また、第１メモリ１４２には、対流ファン手段３０の標準回転数、高速側の補正値、例えば約２０％、及び低速側の補正値、例えば約２０％が記憶されている。また、第２メモリ１４４には、高速側に補正された高速側補正回転数、低速側に補正された低速側補正回転数、切りタイマスイッチ９６によって設定された切りタイマ設定時間等が記憶される。タイマ手段１４６は、切りタイマスイッチ９６により設定された切りタイマ設定時間を計時する。
【００３５】
次に、主として図１、図７及び図８を参照して、上述した空気清浄機の運転動作について説明する。風量切換スイッチ９８によって自動運転モードを設定した場合、空気清浄機は図８に示すフローチャートに沿って作動制御される。即ち、ステップＳ−１において、清浄機本体２のフィルタ装着部８に装着されたフィルタ手段１０が埃・臭い除去兼用フィルタ手段か否かが判断され、埃・臭い除去兼用フィルタ手段１０Ｃ，１０Ｄである場合にステップＳ−２に進む。ステップＳ−２においては、制御手段１３６の検知選択手段１３８がフィルタ検知手段６０からの検知信号に対応する汚れ検知手段１３０の検知状態、即ち埃検知センサ１３２及び臭い検知センサ１３４による検知を選択する。次に、ステップＳ−３において、装着されたフィルタ手段１０が埃・臭い除去兼用フィルタ手段であるので、フィルタ検知手段６０からの検知信号に基づいて第１メモリ１４２から標準回転数値、即ち弱運転５４０ｒｐｍ、中運転７５０ｒｐｍ、強運転９００ｒｐｍ、急速運転１１９０ｒｐｍが読み出され、読み出された標準回転数値が第２メモリ１４４に記憶される。
【００３６】
その後、ステップＳ−４において、制御手段１３６による自動運転が行われ、対流ファン手段３０は第２メモリ１４４に記憶された標準回転数でもって回転制御され、埃・臭い除去兼用フィルタ手段１０Ｃ，１０Ｄによって空気中の埃及び臭いが除去される。この自動運転では、制御手段１３６は、埃検知センサ１３２及び臭い検知センサ１３４からの検知信号に基づいて対流ファン手段３０の電動モータ３４を回転制御する。この実施形態では、埃検知センサ１３２は、空気中に含まれる埃の度合いによって「埃ゼロ」、「埃小」、「埃中」、「埃大」のレベルでもって検知し、また臭い検知センサ１３４は、空気中に含まれる臭いの度合いによって「臭いゼロ」、「臭い小」、「臭い中」、「臭い大」のレベルでもって検知する。そして、制御手段１３６は、埃検知センサ１３２及び臭い検知センサ１３４の検知レベルのうち高い方の検知レベルを優先し、この検知レベルに対応する回転数でもって対流ファン手段３０を回転する、例えば優先した検知レベルが「大」（即ち「埃大」又は「臭い大」）であると対流ファン手段３０を強運転し、また例えば優先した検知レベルが「中」（又は「小」、「ゼロ」）であると、対流ファン手段３０を中運転（又は弱運転）で回転する（この形態では、検知レベルが「ゼロ」でも空気中の汚れを迅速に検知できるように、対流ファン手段３０を弱運転するように構成されている）。
【００３７】
このような自動運転中において、電源スイッチ９４を押圧してＯＦＦ（開）にすると、ステップＳ−５からステップＳ−７に移って対流ファン手段３０の回転が停止し、空気清浄機の運転が終了する。また、自動運転中にタイマ手段１４６が切りタイマ設定時間を計時すると、ステップＳ−６からステップＳ−７に進み、上述したようにして空気清浄機の運転が終了する。
また、装着されたフィルタ手段１０が埃・臭い除去兼用フィルタ手段１０Ｃ，１０Ｄでない場合、ステップＳ−１からステップＳ−８に移り、埃除去専用フィルタ手段１０Ａであるか否かが判断される。そして、埃除去専用フィルタ手段１０Ａである場合にステップＳ−９に進み、制御手段１３６の検知選択手段１３８がフィルタ検知手段６０からの検知信号に対応する汚れ検知手段１３０の検知状態、即ち埃検知センサ１３２による検知を選択する。次に、ステップＳ−１０において、装着されたフィルタ手段１０が埃除去専用フィルタ手段であるので、フィルタ検知手段６０からの検知信号に基づいて第１メモリ１４２から上記標準回転数値及び高速側の補正値が読み出され、回転数補正手段１４０はこれら読み出された値から各運転状態の回転数を演算し、演算した高速側回転数、即ち高速側弱運転６４８ｒｐｍ、高速側中運転９００ｒｐｍ、高速側強運転１０８０ｒｐｍ、高速側急速運転１４２８ｒｐｍが第２メモリ１４４に記憶される。
【００３８】
その後、ステップＳ−１１において、制御手段１３６による自動運転が行われ、対流ファン手段３０は第２メモリ１４４に記憶された高速側回転数でもって回転制御され、埃除去専用フィルタ手段１０Ａによって空気中の埃が除去される。この自動運転では、制御手段１３６は、埃検知センサ１３２からの検知信号に基づいて対流ファン手段３０の電動モータ３４を回転制御する。即ち、制御手段１３６は、埃検知センサ１３２の検知レベルに対応する回転数でもって対流ファン手段３０を回転し、検知レベルが「埃大」であると対流ファン手段３０を高速側強運転で回転し、また例えば検知レベルが「埃中」（又は「埃小」、「埃ゼロ」）であると、対流ファン手段３０を高速側中運転（又は高速側弱運転）で回転する。
【００３９】
このような自動運転中において、電源スイッチ９４を押圧してＯＦＦ（開）にする、或いは自動運転中にタイマ手段１４６が切りタイマ設定時間を計時すると、上述したようにステップＳ−７に進み、空気清浄機の運転が終了する。
また、装着されたフィルタ手段１０が埃除去兼用フィルタ手段１０Ａでない場合、ステップＳ−１からステップＳ−８を経てステップＳ−１２に移り、臭い除去専用フィルタ手段１０Ｂであるか否かが判断される。そして、臭い除去専用フィルタ手段１０Ｂである場合にステップＳ−１３に進み、制御手段１３６の検知選択手段１３８がフィルタ検知手段６０からの検知信号に対応する汚れ検知手段１３０の検知状態、即ち臭い検知センサ１３４による検知を選択する。次に、ステップＳ−１４において、装着されたフィルタ手段１０が臭い除去専用フィルタ手段であるので、フィルタ検知手段６０からの検知信号に基づいて第１メモリ１４２から上記標準回転数値及び低速側の補正値が読み出され、回転数補正手段１４０はこれら読み出された値から各運転の回転数を演算し、演算した低速側回転数、即ち低速側弱運転４３２ｒｐｍ、低速側中運転６００ｒｐｍ、低速側強運転７２０ｒｐｍ、低速側急速運転９５２ｒｐｍが第２メモリ１４４に記憶される。
【００４０】
その後、ステップＳ−１５において、制御手段１３６による自動運転が行われ、対流ファン手段３０は第２メモリ１４４に記憶された低速側回転数でもって回転制御され、臭い除去専用フィルタ手段１０Ｂによって空気中の臭いが除去される。この自動運転では、制御手段１３６は、臭い検知センサ１３４からの検知信号に基づいて対流ファン手段３０の電動モータ３４を回転制御する。即ち、制御手段１３６は、臭い検知センサ１３４の検知レベルに対応する回転数でもって対流ファン手段３０を回転し、検知レベルが「臭い大」であると対流ファン手段３０を低速側強運転で回転し、また例えば検知レベルが「臭い中」（又は「臭い小」、「臭いゼロ」）であると、対流ファン手段３０を低速側中運転（又は低速側弱運転）で回転する。
【００４１】
このような自動運転中において、電源スイッチ９４を押圧してＯＦＦ（開）にする、或いは自動運転中にタイマ手段１４６が切りタイマ設定時間を計時すると、上述したようにステップＳ−７に進み、空気清浄機の運転が終了する。
フィルタ装着部８に装着されたフィルタ手段１０が所定のものでない、或いはこの装着部８にフィルタ手段１０が未装着である場合、ステップＳ−１からステップＳ−８及びステップＳ−１２を経てステップＳ−１６に進み、制御手段１３６はフィルタ検知手段６０からの検知信号に基づいて警報信号を生成し、この警報信号によって警報手段１３８が作動して操作者に何らかの異常が発生したことを知らせ、空気清浄機の運転が強制的に終了する（ステップＳ−１７）。
【００４２】
尚、手動運転モードにおいては、風量切換スイッチ９８によって設定された運転状態でもって対流ファン手段３０が回転され、この対流ファン手段３０の回転数は、フィルタ装着部８に装着されたフィルタ手段１０の種類に対応した回転数でもって回転される。即ち、埃・臭い除去兼フィルタ手段１０Ｃ，１０Ｄ（又は埃除去専用フィルタ手段１０Ａ、臭い除去専用フィルタ手段１０Ｂ）を装着した場合において、手動運転モードの例えば弱運転を設定すると、制御手段１３６は対流ファン手段３０を標準弱運転（又は高速側弱運転、低速側弱運転）し、また手動運転モードの例えば中運転等を設定すると、制御手段１３６は対流ファン手段３０を標準中運転等（又は高速側中運転等、低速側中運転等）する。
【００４３】
以上、本発明に従う空気清浄機の一実施形態について説明したが、本発明はかかる実施形態に限定されるものではなく、本発明の範囲を逸脱することなく種々の変形乃至修正が可能である。
例えば、図示の実施形態では、埃・臭い除去兼用フィルタ手段１０Ｃ，１０Ｄ、埃除去専用フィルタ手段１０Ａ及び臭い除去専用フィルタ手段１０Ｂを選択的に装着可能に構成し、これに関連して、装着されたフィルタ手段１０の種類に対応して対流ファン手段３０の回転数を標準回転数、高速側回転数又は低速側回転数に設定するように構成しているが、例えば埃・臭い除去兼用フィルタ手段１０Ｃ，１０Ｄ及び埃除去専用フィルタ手段１０Ａ（又は臭い除去専用フィルタ手段１０Ｂ）を選択的に装着可能に構成するようにしてもよい。かかる場合、装着されたフィルタ手段１０に対応して対流ファン手段３０の回転数が標準回転数又は高速側回転数（又は低速側回転数）に設定される。
【００４４】
また、例えば、図示の実施形態では、標準側回転数と高速側補正値でもって高速側回転数を設定するとともに、標準回転数と低速側補正値でもって低速側回転数を設定しているが、このような構成に代えて、高速側回転数及び／又は低速側回転数を直接的に第１メモリ１４２に記憶し、フィルタ装着部８に装着したフィルタ手段１０の種類に対応する回転数を第１メモリ１４２から読み出すようにしてもよい。
【００４５】
また、装着したフィルタ手段１０の性能を充分に発揮するために、例えば、次のように構成するようにしてもよい。即ち、フィルタ装着部８に関連して設けたフィルタ検知手段６０でもって装着したフィルタ手段１０の性能（標準のもの、高性能のもの）を含む種類を検知し、このフィルタ検知手段６０からのフィルタ性能検知信号に基づいて汚れ検知手段１３０の感度を設定するようにしてもよい。かかる場合、制御手段１３６は更に感度設定手段（図示せず）を含み、例えば高性能の埃除去専用フィルタ手段１０Ａ（又は高性能の臭い除去専用フィルタ手段１０Ｂ）を装着したとき、感度設定手段がフィルタ検知手段６０からの検知信号に基づいて埃検知センサ１３２（又は臭い検知センサ１３４）の感度を補正してより高い感度、例えば標準感度のときの半分の検出レベルでもって「埃ゼロ」（又は「臭いゼロ」）から「埃小」（又は「臭い小」）に、「埃小」（又は「臭い小」）から「埃中」（又は「臭い中」）に、また「埃中」（又は「臭い中」）から「埃大」（又は「臭い大」）に検知状態が変わるように感度設定し、制御手段１３６はかかる設定感度による埃検知センサ１３２（又は臭い検知センサ１３４）からの検知信号に基づいて対流ファン手段３０を回転制御する。このようにすることによって、標準感度のときの検知レベルより小さい検知レベルでもって対流ファン手段３０の運転状態が切り換えられてその回転数が大きくなり、フィルタ手段１０Ａ（又は１０Ｂ）の性能と併せて空気清浄機の浄化作用を一層高めることができ、装着したフィルタ手段１０Ａ（又は１０Ｂ）の性能を充分に発揮させることができる。
【００４６】
【発明の効果】
本発明の請求項１の空気清浄機によれば、フィルタ装着部に装着したフィルタ手段の種類に対応した汚れ検知手段の感度が設定されるので、例えば高性能の埃除去専用フィルタ手段（臭い除去専用フィルタ手段）を用いた場合、埃と臭いを除去する兼用フィルタ手段を用いた場合に比して、埃（又は臭い）の検出レベルが低くても対流ファン手段の回転数が大きくなって空気清浄機の埃除去能力（臭い除去能力）が増し、空気中の埃（又は臭い）を効果的に高性能に除去することができる。
【００４７】
また、本発明の請求項２の空気清浄機によれば、フィルタ装着部に装着したフィルタ手段の種類に対応する汚れ検知手段の検知状態を選択し、装着したフィルタ手段の種類に対応した検知状態となるので、この汚れ検知手段の検知信号に基づいて空気中の汚れを所要の通りに除去することができる。
【００４８】
また、本発明の請求項３の空気清浄機によれば、埃除去専用フィルタ手段（又は臭い除去専用フィルタ手段、埃・臭い除去兼用フィルタ手段）を装着したとき、検知選択手段は埃検知センサ（又は臭い検知センサ、埃検知センサと臭い検知センサ）の検知状態を選択するので、汚れ検知手段により検知する汚れを装着したフィルタ手段によって所要の通りに除去することができる。
更に、本発明の請求項４の空気清浄機によれば、フィルタ装着部に装着したフィルタ手段の種類をフィルタ種類表示手段が表示するので、この表示を見ることによって、装着されたフィルタ手段の種類を容易に認識することができる。
【図面の簡単な説明】
【図１】本発明に従う空気清浄機の一実施形態を示す断面図である。
【図２】図１の空気清浄機を一部分解して示す分解断面図である。
【図３】図１の空気清浄機の清浄機本体の一部とこれに装着される各種フィルタ手段とを示す斜視図である。
【図４】特定のフィルタ手段とフィルタ検知手段の検出スイッチとの関係を示す部分断面図である。
【図５】フィルタ検知手段の３個の検出スイッチと各種フィルタ手段との関係を示す図である。
【図６】図１の空気清浄機の操作パネルを示す正面図である。
【図７】図１の空気清浄機の制御系を簡略的に示すブロック図である。
【図８】図７の制御系による制御を示すフローチャートである。
【符号の説明】
２  清浄機本体
４  吸入口
６  吹出し口
１０，１０Ａ，１０Ｂ，１０Ｃ，１０Ｄ  フィルタ手段
２４  空気流路
３０  対流ファン手段
６０  フィルタ検知手段
９２  操作パネル
１００  フィルタ種類表示手段
１３０  汚れ検知手段
１３２  埃検知センサ
１３４  臭い検知センサ
１３６  制御手段
１３８  検知選択手段
１４０  回転数補正手段
【図１】
0004201956.tif 000002
【図２】
0004201956.tif 000003
【図３】
0004201956.tif 000004
【図４】
0004201956.tif 000005
【図５】
0004201956.tif 000006
【図６】
0004201956.tif 000007
【図７】
0004201956.tif 000008
【図８】
0004201956.tif 000009